(57)【特許請求の範囲】
【請求項１】
取付ベース（1）に固定されたモータ（13）と、
モータ軸（14）に装着されたカムシャフト（4）と、
横方向に移動可能に支持された揺振体（2）と、
カムシャフト（4）の軸部（41）から放射方向に延伸し、突部（44）を備えた突片（42）と、
揺振体（2）に固定され、前記突部（44）に押圧される傾斜面（26）と板状部（25）とを有したカム部材（23）と、
揺振体（2）を前記突片（42）の押圧方向と逆方向に付勢する弾性体（27）と、
取付ベース（1）に横設された回動軸（15）を中心に上下方向に昇降される昇降体（3）と、
前記回動軸（15）から延出され、溝部（33）を設けたガイドアーム（32）と、
カムシャフト（4）の軸部（41）から突片（42）とは交差する方向に伸び、前記溝部（33）に挿入される係合突起（45）を設けた突出片（43）とからなる遊技機の可動装飾装置であって、
前記溝部（33）は直線部（34）とモータ軸（14）と同心に形成された円弧部（35）から構成され、
突部（44）が板状部（25）を押圧している間は係合突起（45）は直線部（34）と係合し、
突部（44）が傾斜面（26）押圧している間は係合突起（45）は円弧部（35）と係合することを特徴とする遊技機の可動装飾装置。
【発明の詳細な説明】
【技術分野】
【０００１】
本発明は、遊技機の役物に用いられる可動装飾装置に関するものである。
【背景技術】
【０００２】
従来の遊技機において、遊技領域の中央部に設けられた図柄表示装置の回りで演出を行うものとして、例えば特許文献１に開示されたものが知られている。このものは、図柄表示装置の上部に設けられた移動部材が、図柄表示装置の表示状態に合わせて、表示画面の一部を覆う動作を行うことにより演出効果は高まるものの、演出動作自体は移動部材が上下に昇降するだけであるので、遊技の興趣に欠けるものであった。また、移動部材を降下させる手段としてギアとラックを用いているので、装飾の態様を急激に変化させることができないという欠点も合った。
【特許文献１】特開２００４−１５９８４５号公報  (図１)
【発明の開示】
【発明が解決しようとする課題】
【０００３】
本発明は、上記した従来の問題点に鑑み、変化の態様に富んだ遊技機の可動装飾装置を提供することを課題とする。
【課題を解決するための手段】
【０００４】
上記の課題を解決するためになされた本発明の遊技機の可動装飾装置は、
取付ベースに固定されたモータと、
モータ軸に装着されたカムシャフトと、
横方向に移動可能に支持された揺振体と、
カムシャフトの軸部から放射方向に延伸し、突部を備えた突片と、
揺振体に固定され、前記突部に押圧される傾斜面と板状部とを有したカム部材と、
揺振体を前記突片の押圧方向と逆方向に付勢する弾性体と、
取付ベースに横設された回動軸を中心に上下方向に昇降される昇降体と、
前記回動軸から延出され、溝部を設けたガイドアームと、
カムシャフトの軸部から突片とは交差する方向に伸び、前記溝部に挿入される係合突起を設けた突出片とからなる遊技機の可動装飾装置であって、
前記溝部は直線部とモータ軸と同心に形成された円弧部から構成され、
突部が板状部を押圧している間は係合突起は直線部と係合し、
突部が傾斜面押圧している間は係合突起は円弧部と係合する
ことを特徴とするものである。
【０００５】
【０００６】
【０００７】
【発明の効果】
【０００８】
本発明は、揺振体と昇降体を一つのモータで駆動させて遊技機の装飾態様に変化を付けることができる。
また、突片によるカム部材の押圧と、弾性体による揺振体の引き付けにより揺振体を揺動させることができる。
また、ガイドアームに係合させた突出片を回動することによって昇降体を上下に昇降させることができる。
また、溝部と係合突起とによりガイドアームと突出片とを係合させることができる。
【発明を実施するための最良の形態】
【０００９】
以下に本発明を実施形態に基づき説明する。
図１は、本発明の実施形態である可動装飾装置の基本態様を示す背面側斜視図、図２はその正面側斜視図、図３は要部の構造図である。図において、１は取付ベース、２は揺振体、３は昇降体である。また、１０はカバー部材である。
【００１０】
以下に、揺振機構の構造を説明する。
取付ベース１には、固定側部分球体１１とモータの取付台１２が設けられ、取付台１２に固定されたモータ１３のモータ軸１４にカムシャフト４が装着されている。カムシャフト４は、軸部４１から放射状に伸びる突片４２と、突片４２とは交差する方向に伸びる突出片４３とを備えている。また、突片４２は突部４４を、突出片４３は係合突起４５を有している。
【００１１】
揺振体２は、揺振本体部２１と、揺振側部分球体２２と、カム部材２３とを備えている。固定側部分球体１１と揺振側部分球体２２とはギザギザ状の境界部２４とにより噛合されている。カム部材２３は、板状部２５と傾斜面２６とを有している。また、揺振体２は弾性体であるコイルバネ２７により図１において左方向に付勢されているので、突片４２の突起４４はカム部材２３の板状部２５に当接されている。
【００１２】
以下に昇降機構の構造を説明する。
図１において取付ベース１には、取付ベース１の左右に渡る回動軸１５が横設されている。この回動軸１５には、図４に示すように、回動用アーム３１が装着され、この回動用アーム３１の先端には、１／４球面に形成した昇降体３が固定されている。よって、昇降体３は回動軸１５を中心に上下方向に回動して昇降することができる。
【００１３】
回動用アーム３１の基部には、ガイドアーム３２が回動用アーム３１と異なる方向に伸びて設けられている。このガイドアーム３２は、突出片４３の係合突起４５が摺動する溝部３３を有し、この溝部３３はガイドアーム３２の基端側の直線部３４と先端側の円弧部３５とからなる。円弧部３５の円弧は、モータ軸１４と同心に形成されている。
【００１４】
以下に、上記した可動装飾装置における揺振体２の揺動、昇降体３の昇降動について説明する。
図３の状態から出発してカムシャフト４が反時計回り方向に回動されると、突片４２の突部４４は傾斜面２６上を昇るように摺動するので、カム部材２３はモータ１３側に押圧される（図５）。この押圧によってカム部材２３と一体に固定されている揺振体２もともにモータ１３側に移動される（図７、８、２５、２６）。次いで、モータ１３が時計回り方向に逆回転されることによって、突部４４は傾斜面２６を下るので、バネ２７の付勢により揺振体２はモータ１３と反対方向に移動されることとなる。このとき、係合突起４５は円弧部３５内を移動するのでガイドアーム３２は回動されたりすることはない。
【００１５】
引き続いて、モータ１３が時計回り方向に回転されると、図４に示すように、係合突起４５は円弧Ｐに沿って移動するので、係合突起４５はガイドアーム３２の直線部３４の上側部分を持ち上げようとする。これによってガイドアーム３２には回動軸１５を中心として反時計回り方向への回動力が働く。よって、回動用アーム３１も反時計回りに回動されるので、昇降体３もともに回動されることになる。回動中に係合突起４５と回動軸１５との距離が変化するため、回動スピードが変化する。すなわち、係合突起と回転軸１５との距離がもっとも近づいたときにガイドアーム３２の回動スピードはもっとも速くなるので、動きの面白さを出すことができる。（図６、図９、図１０）。
【００１６】
昇降体３を上昇させるときには、モータ１３が反時計回り方向に回転されて、図６に示すように、係合突起４５は円弧Ｐに沿って反時計回りに移動するので、係合突起４５はガイドアーム３２を回動軸１５を中心として時計回り方向へ回動させる。これによって、昇降体３は回動アーム３１を介して上方に回動されて上昇されることとなる。
【図面の簡単な説明】
【００１７】
【００１８】
【００１９】
【００２０】
【００２１】
【００２２】
【００２３】
【００２４】
【００２５】
【００２６】
【００２７】
【図１】第１の実施形態の可動装飾装置の背面側の斜視図である。
【図２】第１の実施形態の可動装飾装置の正面側の斜視図である。
【図３】揺振機構の要部の側面図（ａ）と、背面図（ｂ）である。
【図４】昇降機構の要部の側面図である。
【図５】揺振体が移動された揺振機構の要部の側面図（ａ）と、背面図（ｂ）である。
【図６】昇降体が下方に回動された昇降機構の要部の側面図である。
【図７】揺振体が移動された可動装飾装置の背面側の斜視図である。
【図８】揺振体が移動された可動装飾装置の正面側の斜視図である。
【図９】昇降体が落下された可動装飾装置の背面側の斜視図である。
【図１０】昇降体が落下された可動装飾装置の正面側の斜視図である。
【図１１】図７の状態における可動装飾装置の背面図である。
【図１２】図１１のＡ−Ａ線断面図である。
【符号の説明】
【００２８】
２  揺振体、３  昇降体、４  カムシャフト、１５  回動軸、２３  カム部材、２６  傾斜面、４１  軸部、４２  突片、４３  突出片、３２  ガイドアーム
【図１】
0004933843.tif 000002
【図２】
0004933843.tif 000003
【図３】
0004933843.tif 000004
【図４】
0004933843.tif 000005
【図５】
0004933843.tif 000006
【図６】
0004933843.tif 000007
【図７】
0004933843.tif 000008
【図８】
0004933843.tif 000009
【図９】
0004933843.tif 000010
【図１０】
0004933843.tif 000011
【図１１】
0004933843.tif 000012
【図１２】
0004933843.tif 000013